(57)【特許請求の範囲】
【請求項１】
固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、
前記情報送信装置は、
外部からの信号入力を契機に乱数を生成させる装置乱数生成手段と、
前記装置乱数生成手段の生成させる前記乱数を前記装置識別情報と共に前記情報記憶サーバへ送信する装置識別情報送信手段と、
前記装置乱数生成手段の生成させる前記乱数を表示する装置乱数表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備え、
前記端末装置は、
記号列を取得する端末記号取得手段と、
前記端末記号取得手段の取得する前記記号列を前記端末識別情報と共に前記情報記憶サーバへ送信する端末記号送信手段と、を備え、
前記情報記憶サーバは、
前記装置識別情報送信手段の送信する前記乱数及び前記装置識別情報を受信するサーバ装置情報受信手段と、
前記端末記号送信手段の送信する前記記号列及び前記端末識別情報を受信するサーバ端末情報受信手段と、
前記サーバ装置情報受信手段の受信する前記乱数及び前記装置識別情報を互いに関連付けて記憶するサーバ乱数記憶手段と、
前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、
前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、
前記装置収集情報送信手段の送信する前記装置識別情報及び前記収集情報を受信するサーバ収集情報受信手段と、
前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶システム。
【請求項２】
固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、
前記情報送信装置は、
外部からの信号入力を契機に前記装置識別情報を前記情報記憶サーバへ送信する装置識別情報送信手段と、
前記情報記憶サーバの送信する乱数を受信する装置乱数受信手段と、
前記装置乱数受信手段の受信する前記乱数を表示する装置乱数表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備え、
前記端末装置は、
記号列を取得する端末記号取得手段と、
前記端末記号取得手段の取得する前記記号列を前記端末識別情報と共に前記情報記憶サーバへ送信する端末記号送信手段と、を備え、
前記情報記憶サーバは、
前記装置識別情報送信手段の送信する前記装置識別情報を受信するサーバ装置情報受信手段と、
前記端末記号送信手段の送信する前記記号列及び前記端末識別情報を受信するサーバ端末情報受信手段と、
前記サーバ装置情報受信手段の前記装置識別情報の受信を契機に前記乱数を生成させるサーバ乱数生成手段と、
前記サーバ装置情報受信手段の受信する前記装置識別情報と前記サーバ乱数生成手段の生成させる前記乱数とを互いに関連付けて記憶するサーバ乱数記憶手段と、
前記サーバ乱数生成手段の生成させる前記乱数を前記装置乱数受信手段へ送信するサーバ乱数送信手段と、
前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、
前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、
前記装置収集情報送信手段の送信する前記装置識別情報及び前記収集情報を受信するサーバ収集情報受信手段と、
前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶システム。
【請求項３】
固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、
前記情報送信装置は、
外部からの信号入力を契機に前記装置識別情報を暗号化して暗号化識別情報を生成させる装置暗号化手段と、
前記装置暗号化手段の生成させる前記暗号化識別情報を前記装置識別情報と共に前記情報記憶サーバへ送信する装置識別情報送信手段と、
前記装置暗号化手段の生成させる前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備え、
前記端末装置は、
記号列を取得する端末記号取得手段と、
前記端末記号取得手段の取得する前記記号列を前記端末識別情報と共に前記情報記憶サーバへ送信する端末記号送信手段と、を備え、
前記情報記憶サーバは、
前記装置識別情報送信手段の送信する前記暗号化識別情報及び前記装置識別情報を受信するサーバ装置情報受信手段と、
前記端末記号送信手段の送信する前記記号列及び前記端末識別情報を受信するサーバ端末情報受信手段と、
前記サーバ装置情報受信手段の受信する前記暗号化識別情報を記憶するサーバ暗号記憶手段と、
前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定した前記暗号化識別情報を復号するサーバ復号手段と、
前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、
前記装置収集情報送信手段の送信する前記装置識別情報及び前記収集情報を受信するサーバ収集情報受信手段と、
前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶システム。
【請求項４】
固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、
前記情報送信装置は、
外部からの信号入力を契機に前記装置識別情報を前記情報記憶サーバへ送信する装置識別情報送信手段と、
前記情報記憶サーバの送信する暗号化識別情報を受信する装置暗号受信手段と、
前記装置暗号受信手段の受信する前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備え、
前記端末装置は、
記号列を取得する端末記号取得手段と、
前記端末記号取得手段の取得する前記記号列を前記端末識別情報と共に前記情報記憶サーバへ送信する端末記号送信手段と、を備え、
前記情報記憶サーバは、
前記装置識別情報送信手段の送信する前記装置識別情報を受信するサーバ装置情報受信手段と、
前記端末記号送信手段の送信する前記記号列及び前記端末識別情報を受信するサーバ端末情報受信手段と、
前記サーバ装置情報受信手段の受信する前記装置識別情報を暗号化して前記暗号化識別情報を生成させるサーバ暗号化手段と、
前記サーバ装置情報受信手段の受信する前記装置識別情報と前記サーバ暗号化手段の生成させる前記暗号化識別情報とを互いに関連付けて記憶するサーバ暗号記憶手段と、
前記サーバ暗号化手段の生成させる前記暗号化識別情報を前記装置暗号受信手段へ送信するサーバ暗号送信手段と、
前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段と、
前記装置収集情報送信手段の送信する前記装置識別情報及び前記収集情報を受信するサーバ収集情報受信手段と、
前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶システム。
【請求項５】
固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、
前記情報送信装置は、
外部からの信号入力を契機に前記装置識別情報を前記情報記憶サーバへ送信する装置識別情報送信手段と、
前記情報記憶サーバの送信する暗号化識別情報を受信する装置暗号受信手段と、
前記装置暗号受信手段の受信する前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備え、
前記端末装置は、
記号列を取得する端末記号取得手段と、
前記端末記号取得手段の取得する前記記号列を前記端末識別情報と共に前記情報記憶サーバへ送信する端末記号送信手段と、を備え、
前記情報記憶サーバは、
前記装置識別情報送信手段の送信する前記装置識別情報を受信するサーバ装置情報受信手段と、
前記端末記号送信手段の送信する前記記号列及び前記端末識別情報を受信するサーバ端末情報受信手段と、
前記サーバ装置情報受信手段の受信する前記装置識別情報を暗号化して前記暗号化識別情報を生成させるサーバ暗号化手段と、
前記サーバ暗号化手段の生成させる前記暗号化識別情報を記憶するサーバ暗号記憶手段と、
前記サーバ暗号化手段の生成させる前記暗号化識別情報を前記装置暗号受信手段へ送信するサーバ暗号送信手段と、
前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定した前記暗号化識別情報を復号するサーバ復号手段と、
前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、
前記装置収集情報送信手段の送信する前記装置識別情報及び前記収集情報を受信するサーバ収集情報受信手段と、
前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶システム。
【請求項６】
前記情報記憶サーバは、
前記サーバ収集情報受信手段の前記収集情報の受信又は所定時間の経過を契機に、前記サーバ収集情報記憶手段の記憶する前記収集情報を、前記収集情報に関連付けて記憶されている前記端末識別情報の端末装置へ送信するサーバ収集情報送信手段をさらに備えることを特徴とする請求項１から５のいずれかに記載の情報記憶システム。
【請求項７】
前記装置情報収集手段の収集する前記収集情報は、脈波、心電、血圧、脈拍、体温又は動脈血酸素飽和度、血液成分（血糖、血中脂質、コレステロール、中性脂肪、過酸化脂質）、コレステロール、体脂肪、体重、尿の成分（塩分、尿酸値）であることを特徴とする請求項１から６のいずれかに記載の情報記憶システム。
【請求項８】
乱数及び固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記乱数及び前記装置識別情報を互いに関連付けて記憶するサーバ乱数記憶手段、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段、並びに、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記乱数を生成させる装置乱数生成手段と、
前記装置乱数生成手段の生成させる前記乱数を前記装置識別情報と共に前記サーバ装置情報受信手段へ送信する装置識別情報送信手段と、
前記装置乱数生成手段の生成させる前記乱数を表示する装置乱数表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備えることを特徴とする情報送信装置。
【請求項９】
固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の前記装置識別情報の受信を契機に前記乱数を生成させるサーバ乱数生成手段、前記サーバ装置情報受信手段の受信する前記装置識別情報と前記サーバ乱数生成手段の生成させる前記乱数とを互いに関連付けて記憶するサーバ乱数記憶手段、前記サーバ乱数生成手段の生成させる前記乱数を送信するサーバ乱数送信手段、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段、並びに、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記装置識別情報を前記サーバ装置情報受信手段へ送信する装置識別情報送信手段と、
前記サーバ乱数送信手段の送信する前記乱数を受信する装置乱数受信手段と、
前記装置乱数受信手段の受信する前記乱数を表示する装置乱数表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備えることを特徴とする情報送信装置。
【請求項１０】
前記暗号化識別情報及び固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記暗号化識別情報を記憶するサーバ暗号記憶手段、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段、前記サーバ暗号判定手段のサーバ暗号一致の判定を契機に、前記サーバ暗号判定手段の判定した前記暗号化識別情報を復号するサーバ復号手段、並びに、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記装置識別情報を暗号化して前記暗号化識別情報を生成させる装置暗号化手段と、
前記装置暗号化手段の生成させる前記暗号化識別情報を前記装置識別情報と共に前記サーバ装置情報受信手段へ送信する装置識別情報送信手段と、
前記装置暗号化手段の生成させる前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備えることを特徴とする情報送信装置。
【請求項１１】
固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記装置識別情報を暗号化して暗号化識別情報を生成させるサーバ暗号化手段、前記サーバ装置情報受信手段の受信する前記装置識別情報と前記サーバ暗号化手段の生成させる前記暗号化識別情報とを互いに関連付けて記憶するサーバ暗号記憶手段、前記サーバ暗号化手段の生成させる前記暗号化識別情報を送信するサーバ暗号送信手段、前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段、並びに、前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記装置識別情報を前記サーバ装置情報受信手段へ送信する装置識別情報送信手段と、
前記サーバ暗号送信手段の送信する前記暗号化識別情報を受信する装置暗号受信手段と、
前記装置暗号受信手段の受信する前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備えることを特徴とする情報送信装置。
【請求項１２】
固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記装置識別情報を暗号化して暗号化識別情報を生成させるサーバ暗号化手段、前記サーバ暗号化手段の生成させる前記暗号化識別情報を記憶するサーバ暗号記憶手段、前記サーバ暗号化手段の生成させる前記暗号化識別情報を送信するサーバ暗号送信手段、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段、前記サーバ暗号判定手段のサーバ暗号一致の判定を契機に、前記サーバ暗号判定手段の判定した前記暗号化識別情報を復号するサーバ復号手段、並びに、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記装置識別情報を前記サーバ装置情報受信手段へ送信する装置識別情報送信手段と、
前記サーバ装置情報送信手段の送信する前記暗号化識別情報を受信する装置暗号受信手段と、
前記装置暗号受信手段の受信する前記暗号化識別情報を表示する装置暗号表示手段と、
あらかじめ定められた収集情報を収集する装置情報収集手段と、
前記装置情報収集手段の収集する前記収集情報及び前記装置識別情報を前記情報記憶サーバへ送信する装置収集情報送信手段と、を備えることを特徴とする情報送信装置。
【請求項１３】
外部からの信号入力を契機に乱数を生成させる装置乱数生成手段、前記装置乱数生成手段の生成させる前記乱数を固有の識別情報である装置識別情報と共に送信する装置識別情報送信手段、及び、前記装置乱数生成手段の生成させる前記乱数を表示する装置乱数表示手段を備える情報送信装置と送受信する情報記憶サーバであって、
前記装置識別情報送信手段の送信する前記乱数及び前記装置識別情報を受信するサーバ装置情報受信手段と、
記号列及び前記装置識別情報と異なる固有の識別情報である端末識別情報を受信するサーバ端末情報受信手段と、
前記サーバ装置情報受信手段の受信する前記乱数及び前記装置識別情報を互いに関連付けて記憶するサーバ乱数記憶手段と、
前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、
前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、
前記情報送信装置の送信する前記装置識別情報及び前記収集情報を受信するサーバ収集情報受信手段と、
前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶サーバ。
【請求項１４】
外部からの信号入力を契機に固有の識別情報である装置識別情報を送信する装置識別情報送信手段、乱数を受信する装置乱数受信手段、及び、前記装置乱数受信手段の受信する前記乱数を表示する装置乱数表示手段を備える情報送信装置と送受信する情報記憶サーバであって、
前記装置識別情報送信手段の送信する前記装置識別情報を受信するサーバ装置情報受信手段と、
記号列及び前記装置識別情報と異なる固有の識別情報である端末識別情報を受信するサーバ端末情報受信手段と、
前記サーバ装置情報受信手段の前記装置識別情報の受信を契機に前記乱数を生成させるサーバ乱数生成手段と、
前記サーバ装置情報受信手段の受信する前記装置識別情報と前記サーバ乱数生成手段の生成させる前記乱数とを互いに関連付けて記憶するサーバ乱数記憶手段と、
前記サーバ乱数生成手段の生成させる前記乱数を前記装置乱数受信手段へ送信するサーバ乱数送信手段と、
前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、
前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、
前記情報送信装置の送信する前記装置識別情報及び前記収集情報を受信するサーバ収集情報受信手段と、
前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶サーバ。
【請求項１５】
外部からの信号入力を契機に固有の識別情報である装置識別情報を暗号化して暗号化識別情報を生成させる装置暗号化手段、前記装置暗号化手段の生成させる前記暗号化識別情報を前記装置識別情報と共に送信する装置識別情報送信手段、及び、前記装置暗号化手段の生成させる前記暗号化識別情報を表示する装置暗号表示手段を備える情報送信装置と送受信する情報記憶サーバであって、
前記装置識別情報送信手段の送信する前記暗号化識別情報及び前記装置識別情報を受信するサーバ装置情報受信手段と、
記号列及び前記装置識別情報と異なる固有の識別情報である端末識別情報を受信するサーバ端末情報受信手段と、
前記サーバ装置情報受信手段の受信する前記暗号化識別情報を記憶するサーバ暗号記憶手段と、
前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定した前記暗号化識別情報を復号するサーバ復号手段と、
前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、
前記情報送信装置の送信する前記装置識別情報及び前記収集情報を受信するサーバ収集情報受信手段と、
前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶サーバ。
【請求項１６】
外部からの信号入力を契機に固有の識別情報である装置識別情報を送信する装置識別情報送信手段、暗号化識別情報を受信する装置暗号受信手段、及び、前記装置暗号受信手段の受信する前記暗号化識別情報を表示する装置暗号表示手段を備える情報送信装置と送受信する情報記憶サーバであって、
前記装置識別情報送信手段の送信する前記装置識別情報を受信するサーバ装置情報受信手段と、
記号列及び前記装置識別情報と異なる固有の識別情報である端末識別情報を受信するサーバ端末情報受信手段と、
前記サーバ装置情報受信手段の受信する前記装置識別情報を暗号化して前記暗号化識別情報を生成させるサーバ暗号化手段と、
前記サーバ装置情報受信手段の受信する前記装置識別情報と前記サーバ暗号化手段の生成させる前記暗号化識別情報とを互いに関連付けて記憶するサーバ暗号記憶手段と、
前記サーバ暗号化手段の生成させる前記暗号化識別情報を前記装置暗号受信手段へ送信するサーバ暗号送信手段と、
前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段と、
前記情報送信装置の送信する前記装置識別情報及び前記収集情報を受信するサーバ収集情報受信手段と、
前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶サーバ。
【請求項１７】
外部からの信号入力を契機に固有の識別情報である装置識別情報を送信する装置識別情報送信手段、暗号化識別情報を受信する装置暗号受信手段、及び、前記装置暗号受信手段の受信する前記暗号化識別情報を表示する装置暗号表示手段を備える情報送信装置と送受信する情報記憶サーバであって、
前記装置識別情報送信手段の送信する前記装置識別情報を受信するサーバ装置情報受信手段と、
記号列及び前記装置識別情報と異なる固有の識別情報である端末識別情報を受信するサーバ端末情報受信手段と、
前記サーバ装置情報受信手段の受信する前記装置識別情報を暗号化して前記暗号化識別情報を生成させるサーバ暗号化手段と、
前記サーバ暗号化手段の生成させる前記暗号化識別情報を記憶するサーバ暗号記憶手段と、
前記サーバ暗号化手段の生成させる前記暗号化識別情報を前記装置暗号受信手段へ送信するサーバ暗号送信手段と、
前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、
前記サーバ暗号判定手段のサーバ暗号一致の判定を契機に、前記サーバ暗号判定手段の判定した前記暗号化識別情報を復号するサーバ復号手段と、
前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、
前記情報送信装置の送信する前記装置識別情報及び前記収集情報を受信するサーバ収集情報受信手段と、
前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする情報記憶サーバ。
【請求項１８】
前記サーバ収集情報受信手段の前記収集情報の受信又は所定時間の経過を契機に、前記サーバ収集情報記憶手段の記憶する前記収集情報を、前記収集情報に関連付けて記憶されている前記端末識別情報の端末装置へ送信するサーバ収集情報送信手段をさらに備えることを特徴とする請求項１３から１７のいずれかに記載の情報記憶サーバ。
【請求項１９】
コンピュータを請求項１３から１８のいずれかに記載の各手段として機能させるためのプログラム。
【請求項２０】
請求項１９に記載のコンピュータプログラムを記録したコンピュータ読み取り可能な記録媒体。
【発明の詳細な説明】
【技術分野】
【０００１】
本発明は、情報記憶サーバの記憶した情報を端末装置に配信する情報記憶システムにおいて、配信する情報及び配信先の端末装置を情報記憶サーバに簡単かつ安全に登録することのできる情報記憶システムと、当該情報記憶システムに用いられる情報送信装置と、当該情報記憶システムに用いられる情報記憶サーバと、当該情報記憶サーバを実現するためのコンピュータプログラムと、当該コンピュータプログラムを記録したコンピュータ読み取り可能な記録媒体に関する。
【背景技術】
【０００２】
予め登録された端末装置からアクセスされると、その端末装置の特定を行い、その特定結果に基づき、情報を記憶するシステムが提案されている（例えば、特許文献１参照。）。情報記憶サーバがアクセス可能な端末装置を特定する場合、情報記憶サーバと端末装置とで共有する識別情報とパスワードを用いていた。
【特許文献１】特開２００３−２２４７９６号公報
【発明の開示】
【発明が解決しようとする課題】
【０００３】
しかし、識別情報とパスワードが入手できれば、情報送信装置が手元にない第三者であっても、収集情報を取得できる。本発明は、情報送信装置が手元にない第三者への収集情報の取得を防止することのできる情報記憶システムの提供を目的とする。
【課題を解決するための手段】
【０００４】
本発明は、上記課題を解決するものであり、端末装置と情報送信装置とを関連付けて情報記憶サーバに登録するに際し、情報送信装置に信号が入力されると、情報送信装置が乱数を発生させてその場で表示し、情報送信装置の表示した乱数を情報記憶サーバが記憶する。乱数の発生後、情報記憶サーバは、端末装置から送信された記号列と乱数とが一致することを判定し、これを契機に情報送信装置と端末装置とを関連付けて記憶することを特徴とする。
【０００５】
具体的には、本発明に係る情報記憶システムは、固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、前記情報送信装置は、外部からの信号入力を契機に乱数を生成させる装置乱数生成手段と、前記装置乱数生成手段の生成させる前記乱数を前記装置識別情報と共に前記情報記憶サーバへ送信する装置識別情報送信手段と、前記装置乱数生成手段の生成させる前記乱数を表示する装置乱数表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備え、前記端末装置は、記号列を取得する端末記号取得手段と、前記端末記号取得手段の取得する前記記号列を前記端末識別情報と共に前記情報記憶サーバへ送信する端末記号送信手段と、を備え、前記情報記憶サーバは、前記装置識別情報送信手段の送信する前記乱数及び前記装置識別情報を受信するサーバ装置情報受信手段と、前記端末記号送信手段の送信する前記記号列及び前記端末識別情報を受信するサーバ端末情報受信手段と、前記サーバ装置情報受信手段の受信する前記乱数及び前記装置識別情報を互いに関連付けて記憶するサーバ乱数記憶手段と、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、前記装置収集情報送信手段の送信する前記装置識別情報及び前記収集情報を受信するサーバ収集情報受信手段と、前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【０００６】
情報送信装置が表示した乱数を用いて情報送信装置の所有者と端末装置の所有者との一致を判定し、一致した端末装置を情報送信装置と関連付けて記憶するので、情報送信装置が手元にない第三者の端末装置が情報送信装置と関連付けて記憶されることを防ぐことができる。これにより、情報送信装置が手元にない第三者の情報送信装置の収集情報の取得を防止することができる。更に、情報送信装置に信号が入力されるとすぐに乱数を発生させて表示するので、情報送信装置に信号を入力した人はすぐに乱数を取得することができる。これにより、第三者に乱数を知られる危険性を減少させることができる。又、情報送信装置が乱数を発生させるので、情報記憶サーバの処理を軽減することができる。
さらに、情報送信装置は、装置乱数判定手段の装置乱数一致の判定を契機に装置情報収集手段の収集する収集情報を送信するので、情報記憶サーバは、必要な収集情報を必要なときのみ受信して記憶することができる。これにより、情報記憶サーバの記憶領域及び通信経路を効率よく使用することができる。
【０００８】
本発明は、上記課題を解決するものであり、端末装置と情報送信装置とを関連付けて情報記憶サーバに登録するに際し、情報送信装置に信号が入力されると、情報送信装置が情報記憶サーバへ装置識別情報を送信し、情報記憶サーバが乱数を発生させて情報送信装置へ送信すると共に記憶し、情報送信装置は情報記憶サーバが発生させた乱数を表示する。乱数の発生後、情報記憶サーバは、端末装置から送信された記号列と乱数とが一致することを判定し、これを契機に情報送信装置と端末装置とを関連付けて記憶することを特徴とする。
【０００９】
具体的には、本発明に係る情報記憶システムは、固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、前記情報送信装置は、外部からの信号入力を契機に前記装置識別情報を前記情報記憶サーバへ送信する装置識別情報送信手段と、前記情報記憶サーバの送信する乱数を受信する装置乱数受信手段と、前記装置乱数受信手段の受信する前記乱数を表示する装置乱数表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備え、前記端末装置は、記号列を取得する端末記号取得手段と、前記端末記号取得手段の取得する前記記号列を前記端末識別情報と共に前記情報記憶サーバへ送信する端末記号送信手段と、を備え、前記情報記憶サーバは、前記装置識別情報送信手段の送信する前記装置識別情報を受信するサーバ装置情報受信手段と、前記端末記号送信手段の送信する前記記号列及び前記端末識別情報を受信するサーバ端末情報受信手段と、前記サーバ装置情報受信手段の前記装置識別情報の受信を契機に前記乱数を生成させるサーバ乱数生成手段と、前記サーバ装置情報受信手段の受信する前記装置識別情報と前記サーバ乱数生成手段の生成させる前記乱数とを互いに関連付けて記憶するサーバ乱数記憶手段と、前記サーバ乱数生成手段の生成させる前記乱数を前記装置乱数受信手段へ送信するサーバ乱数送信手段と、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、前記装置収集情報送信手段の送信する前記装置識別情報及び前記収集情報を受信するサーバ収集情報受信手段と、前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００１０】
情報送信装置が表示した乱数を用いて情報送信装置の所有者と端末装置の所有者との一致を判定し、一致した端末装置を情報送信装置と関連付けて記憶するので、情報送信装置が手元にない第三者の端末装置が情報送信装置と関連付けて記憶されることを防ぐことができる。これにより、情報送信装置が手元にない第三者の情報送信装置の収集情報の取得を防止することができる。更に、情報記憶サーバが乱数を発生させるので、情報送信装置が複数である場合にそれぞれ異なる乱数を発生させることができる。又、情報送信装置は、乱数を発生させる手段が必要ないので、情報送信装置の構成を簡易にすることができる。
さらに、情報送信装置は、装置乱数判定手段の装置乱数一致の判定を契機に装置情報収集手段の収集する収集情報を送信するので、情報記憶サーバは、必要な収集情報を必要なときのみ受信して記憶することができる。これにより、情報記憶サーバの記憶領域及び通信経路を効率よく使用することができる。
【００１２】
本発明は、上記課題を解決するものであり、端末装置と情報送信装置とを関連付けて情報記憶サーバに登録するに際し、情報送信装置に信号が入力されると、情報送信装置が暗号化識別情報を発生させてその場で表示し、情報送信装置の表示した暗号化識別情報を情報記憶サーバが記憶する。暗号化識別情報の発生後、情報記憶サーバは、端末装置から送信された記号列と暗号化識別情報とが一致することを判定し、これを契機に情報送信装置と端末装置とを関連付けて記憶することを特徴とする。
【００１３】
具体的には、本発明に係る情報記憶システムは、固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、前記情報送信装置は、外部からの信号入力を契機に前記装置識別情報を暗号化して暗号化識別情報を生成させる装置暗号化手段と、前記装置暗号化手段の生成させる前記暗号化識別情報を前記装置識別情報と共に前記情報記憶サーバへ送信する装置識別情報送信手段と、前記装置暗号化手段の生成させる前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備え、前記端末装置は、記号列を取得する端末記号取得手段と、前記端末記号取得手段の取得する前記記号列を前記端末識別情報と共に前記情報記憶サーバへ送信する端末記号送信手段と、を備え、前記情報記憶サーバは、前記装置識別情報送信手段の送信する前記暗号化識別情報及び前記装置識別情報を受信するサーバ装置情報受信手段と、前記端末記号送信手段の送信する前記記号列及び前記端末識別情報を受信するサーバ端末情報受信手段と、前記サーバ装置情報受信手段の受信する前記暗号化識別情報を記憶するサーバ暗号記憶手段と、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定した前記暗号化識別情報を復号するサーバ復号手段と、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、前記装置収集情報送信手段の送信する前記装置識別情報及び前記収集情報を受信するサーバ収集情報受信手段と、前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００１４】
情報送信装置が表示した暗号化識別情報を用いて情報送信装置の所有者と端末装置の所有者との一致を判定し、一致した端末装置を情報送信装置と関連付けて記憶するので、情報送信装置が手元にない第三者の端末装置が情報送信装置と関連付けて記憶されることを防ぐことができる。これにより、情報送信装置が手元にない第三者の情報送信装置の収集情報の取得を防止することができる。更に、情報送信装置に信号が入力されるとすぐに暗号化識別情報を発生させて表示するので、情報送信装置に信号を入力した人はすぐに暗号化識別情報を取得することができる。これにより、第三者に暗号化識別情報を知られる危険性を減少させることができる。又、情報送信装置が暗号化識別情報を発生させるので、情報記憶サーバの処理を軽減することができる。更に、装置識別情報を暗号化した記号列を鍵とするので、装置識別情報ごとに固有の情報を残すことで、他の装置識別情報が暗号化された暗号化識別情報との重複を防止することができる。
さらに、情報送信装置は、装置乱数判定手段の装置乱数一致の判定を契機に装置情報収集手段の収集する収集情報を送信するので、情報記憶サーバは、必要な収集情報を必要なときのみ受信して記憶することができる。これにより、情報記憶サーバの記憶領域及び通信経路を効率よく使用することができる。
【００１６】
本発明は、上記課題を解決するものであり、端末装置と情報送信装置とを関連付けて情報記憶サーバに登録するに際し、情報送信装置に信号が入力されると、情報送信装置が情報記憶サーバへ装置識別情報を送信し、情報記憶サーバが暗号化識別情報を発生させて情報送信装置へ送信すると共に記憶し、情報送信装置は情報記憶サーバが発生させた暗号化識別情報を表示する。暗号化識別情報の発生後、情報記憶サーバは、端末装置から送信された記号列と暗号化識別情報とが一致することを判定し、これを契機に情報送信装置と端末装置とを関連付けて記憶することを特徴とする。
【００１７】
具体的には、本発明に係る情報記憶システムは、固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、前記情報送信装置は、外部からの信号入力を契機に前記装置識別情報を前記情報記憶サーバへ送信する装置識別情報送信手段と、前記情報記憶サーバの送信する暗号化識別情報を受信する装置暗号受信手段と、前記装置暗号受信手段の受信する前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備え、前記端末装置は、記号列を取得する端末記号取得手段と、前記端末記号取得手段の取得する前記記号列を前記端末識別情報と共に前記情報記憶サーバへ送信する端末記号送信手段と、を備え、前記情報記憶サーバは、前記装置識別情報送信手段の送信する前記装置識別情報を受信するサーバ装置情報受信手段と、前記端末記号送信手段の送信する前記記号列及び前記端末識別情報を受信するサーバ端末情報受信手段と、前記サーバ装置情報受信手段の受信する前記装置識別情報を暗号化して前記暗号化識別情報を生成させるサーバ暗号化手段と、前記サーバ装置情報受信手段の受信する前記装置識別情報と前記サーバ暗号化手段の生成させる前記暗号化識別情報とを互いに関連付けて記憶するサーバ暗号記憶手段と、前記サーバ暗号化手段の生成させる前記暗号化識別情報を前記装置暗号受信手段へ送信するサーバ暗号送信手段と、前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段と、前記装置収集情報送信手段の送信する前記装置識別情報及び前記収集情報を受信するサーバ収集情報受信手段と、前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００１８】
情報送信装置が表示した暗号化識別情報を用いて情報送信装置の所有者と端末装置の所有者との一致を判定し、一致した端末装置を情報送信装置と関連付けて記憶するので、情報送信装置が手元にない第三者の端末装置が情報送信装置と関連付けて記憶されることを防ぐことができる。これにより、情報送信装置が手元にない第三者の情報送信装置の収集情報の取得を防止することができる。更に、情報記憶サーバが暗号化識別情報を発生させるので、情報送信装置が複数である場合にそれぞれ異なる暗号化識別情報を発生させることができる。又、情報送信装置は、暗号化識別情報を発生させる手段が必要ないので、情報送信装置の構成を簡易にすることができる。更に、装置識別情報を暗号化した記号列を鍵とするので、装置識別情報ごとに固有の情報を残すことで、情報記憶サーバは、暗号化識別情報を装置識別情報ごとに識別することができる。
さらに、情報送信装置は、装置乱数判定手段の装置乱数一致の判定を契機に装置情報収集手段の収集する収集情報を送信するので、情報記憶サーバは、必要な収集情報を必要なときのみ受信して記憶することができる。これにより、情報記憶サーバの記憶領域及び通信経路を効率よく使用することができる。
【００１９】
本発明は、上記課題を解決するものであり、端末装置と情報送信装置とを関連付けて情報記憶サーバに登録するに際し、情報送信装置に信号が入力されると、情報送信装置が情報記憶サーバへ装置識別情報を送信し、情報記憶サーバが暗号化識別情報を発生させて情報送信装置へ送信すると共に記憶し、情報送信装置は情報記憶サーバが発生させた暗号化識別情報を表示する。暗号化識別情報の発生後、情報記憶サーバは、端末装置から送信された記号列と暗号化識別情報とが一致することを判定し、これを契機に記憶していた暗号化識別情報を復号して情報送信装置を取得し、情報送信装置と端末装置とを関連付けて記憶することを特徴とする。
【００２０】
具体的には、本発明に係る情報記憶システムは、固有の識別情報である装置識別情報が付されている情報送信装置、前記装置識別情報と異なる固有の識別情報である端末識別情報が付されている端末装置、並びに、前記情報送信装置及び前記端末装置と送受信する情報記憶サーバを備える情報記憶システムであって、前記情報送信装置は、外部からの信号入力を契機に前記装置識別情報を前記情報記憶サーバへ送信する装置識別情報送信手段と、前記情報記憶サーバの送信する暗号化識別情報を受信する装置暗号受信手段と、前記装置暗号受信手段の受信する前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備え、前記端末装置は、記号列を取得する端末記号取得手段と、前記端末記号取得手段の取得する前記記号列を前記端末識別情報と共に前記情報記憶サーバへ送信する端末記号送信手段と、を備え、前記情報記憶サーバは、前記装置識別情報送信手段の送信する前記装置識別情報を受信するサーバ装置情報受信手段と、前記端末記号送信手段の送信する前記記号列及び前記端末識別情報を受信するサーバ端末情報受信手段と、前記サーバ装置情報受信手段の受信する前記装置識別情報を暗号化して前記暗号化識別情報を生成させるサーバ暗号化手段と、前記サーバ暗号化手段の生成させる前記暗号化識別情報を記憶するサーバ暗号記憶手段と、前記サーバ暗号化手段の生成させる前記暗号化識別情報を前記装置暗号受信手段へ送信するサーバ暗号送信手段と、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定した前記暗号化識別情報を復号するサーバ復号手段と、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、前記装置収集情報送信手段の送信する前記装置識別情報及び前記収集情報を受信するサーバ収集情報受信手段と、前記サーバ収集情報受信手段の受信する前記装置識別情報に関連付けて前記サーバ端末情報記憶手段が記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００２１】
情報送信装置が表示した暗号化識別情報を用いて情報送信装置の所有者と端末装置の所有者との一致を判定し、一致した端末装置を情報送信装置と関連付けて記憶するので、情報送信装置が手元にない第三者の端末装置が情報送信装置と関連付けて記憶されることを防ぐことができる。これにより、情報送信装置が手元にない第三者の情報送信装置の収集情報の取得を防止することができる。更に、情報記憶サーバが暗号化識別情報を発生させるので、情報送信装置が複数である場合にそれぞれ異なる暗号化識別情報を発生させることができる。又、情報送信装置は、暗号化識別情報を発生させる手段が必要ないので、情報送信装置の構成を簡易にすることができる。更に、装置識別情報を暗号化した記号列を鍵とするので、装置識別情報ごとに固有の情報を残せば、情報記憶サーバは、暗号化識別情報を装置識別情報ごとに識別することができる。又、サーバ復号手段を備えるので、サーバ暗号記憶手段を参照することなく暗号化識別情報を基に装置識別情報を取得することができる。
さらに、情報送信装置は、装置乱数判定手段の装置乱数一致の判定を契機に装置情報収集手段の収集する収集情報を送信するので、情報記憶サーバは、必要な収集情報を必要なときのみ受信して記憶することができる。これにより、情報記憶サーバの記憶領域及び通信経路を効率よく使用することができる。
【００２６】
前記情報記憶サーバは、前記サーバ収集情報受信手段の前記収集情報の受信又は所定時間の経過を契機に、前記サーバ収集情報記憶手段の記憶する前記収集情報を、前記収集情報に関連付けて記憶されている前記端末識別情報の端末装置へ送信するサーバ収集情報送信手段をさらに備えることが好ましい。本発明により、情報記憶サーバは、記憶している収集情報を、その収集情報と関連付けて記憶されている端末装置識別情報の端末装置へ選択的に送信することができる。これにより、収集情報を、登録された端末装置へ自動配信することができる。
【００２７】
前記装置情報収集手段の収集する前記収集情報は、脈波、心電、血圧、脈拍、体温又は動脈血酸素飽和度、血液成分（血糖、血中脂質、コレステロール、中性脂肪、過酸化脂質）、コレステロール、体脂肪、体重、尿の成分（塩分、尿酸値）であることが好ましい。本発明により、生体情報を収集して、登録されている端末装置へ配信することができる。
【００２８】
又、本発明に係る情報送信装置は、乱数及び固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記乱数及び前記装置識別情報を互いに関連付けて記憶するサーバ乱数記憶手段、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段、並びに、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、
外部からの信号入力を契機に前記乱数を生成させる装置乱数生成手段と、前記装置乱数生成手段の生成させる前記乱数を前記装置識別情報と共に前記サーバ装置情報受信手段へ送信する装置識別情報送信手段と、前記装置乱数生成手段の生成させる前記乱数を表示する装置乱数表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備えることを特徴とする。
【００２９】
又、本発明に係る情報送信装置は、固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の前記装置識別情報の受信を契機に前記乱数を生成させるサーバ乱数生成手段、前記サーバ装置情報受信手段の受信する前記装置識別情報と前記サーバ乱数生成手段の生成させる前記乱数とを互いに関連付けて記憶するサーバ乱数記憶手段、前記サーバ乱数生成手段の生成させる前記乱数を送信するサーバ乱数送信手段、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段、並びに、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、外部からの信号入力を契機に前記装置識別情報を前記サーバ装置情報受信手段へ送信する装置識別情報送信手段と、前記サーバ乱数送信手段の送信する前記乱数を受信する装置乱数受信手段と、前記装置乱数受信手段の受信する前記乱数を表示する装置乱数表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備えることを特徴とする。
【００３０】
又、本発明に係る情報送信装置は、前記暗号化識別情報及び固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記暗号化識別情報を記憶するサーバ暗号記憶手段、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段、前記サーバ暗号判定手段のサーバ暗号一致の判定を契機に、前記サーバ暗号判定手段の判定した前記暗号化識別情報を復号するサーバ復号手段、並びに、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、外部からの信号入力を契機に前記装置識別情報を暗号化して前記暗号化識別情報を生成させる装置暗号化手段と、前記装置暗号化手段の生成させる前記暗号化識別情報を前記装置識別情報と共に前記サーバ装置情報受信手段へ送信する装置識別情報送信手段と、前記装置暗号化手段の生成させる前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備えることを特徴とする。
【００３１】
又、本発明に係る情報送信装置は、固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記装置識別情報を暗号化して暗号化識別情報を生成させるサーバ暗号化手段、前記サーバ装置情報受信手段の受信する前記装置識別情報と前記サーバ暗号化手段の生成させる前記暗号化識別情報とを互いに関連付けて記憶するサーバ暗号記憶手段、前記サーバ暗号化手段の生成させる前記暗号化識別情報を送信するサーバ暗号送信手段、前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段、並びに、前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、外部からの信号入力を契機に前記装置識別情報を前記サーバ装置情報受信手段へ送信する装置識別情報送信手段と、前記サーバ暗号送信手段の送信する前記暗号化識別情報を受信する装置暗号受信手段と、前記装置暗号受信手段の受信する前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備えることを特徴とする。
【００３２】
又、本発明に係る情報送信装置は、固有の識別情報である装置識別情報を受信するサーバ装置情報受信手段、記号列及び前記装置識別情報と異なる固有の識別情報である端末識別情報を受信するサーバ端末情報受信手段、前記サーバ装置情報受信手段の受信する前記装置識別情報を暗号化して暗号化識別情報を生成させるサーバ暗号化手段、前記サーバ暗号化手段の生成させる前記暗号化識別情報を記憶するサーバ暗号記憶手段、前記サーバ暗号化手段の生成させる前記暗号化識別情報を送信するサーバ暗号送信手段、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段、前記サーバ暗号判定手段のサーバ暗号一致の判定を契機に、前記サーバ暗号判定手段の判定した前記暗号化識別情報を復号するサーバ復号手段、並びに、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段を備える情報記憶サーバと送受信する情報送信装置であって、外部からの信号入力を契機に前記装置識別情報を前記サーバ装置情報受信手段へ送信する装置識別情報送信手段と、前記サーバ装置情報送信手段の送信する前記暗号化識別情報を受信する装置暗号受信手段と、前記装置暗号受信手段の受信する前記暗号化識別情報を表示する装置暗号表示手段と、あらかじめ定められた収集情報を収集する装置情報収集手段と、前記装置情報収集手段の収集する前記収集情報及び前記装置識別情報を前記情報記憶サーバへ送信する装置収集情報送信手段と、を備えることを特徴とする。
【００３３】
又、本発明に係る情報記憶サーバは、外部からの信号入力を契機に乱数を生成させる装置乱数生成手段、前記装置乱数生成手段の生成させる前記乱数を固有の識別情報である装置識別情報と共に送信する装置識別情報送信手段、及び、前記装置乱数生成手段の生成させる前記乱数を表示する装置乱数表示手段を備える情報送信装置と送受信する情報記憶サーバであって、前記装置識別情報送信手段の送信する前記乱数及び前記装置識別情報を受信するサーバ装置情報受信手段と、記号列及び前記装置識別情報と異なる固有の識別情報である端末識別情報を受信するサーバ端末情報受信手段と、前記サーバ装置情報受信手段の受信する前記乱数及び前記装置識別情報を互いに関連付けて記憶するサーバ乱数記憶手段と、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００３４】
又、本発明に係る情報記憶サーバは、外部からの信号入力を契機に固有の識別情報である装置識別情報を送信する装置識別情報送信手段、乱数を受信する装置乱数受信手段、及び、前記装置乱数受信手段の受信する前記乱数を表示する装置乱数表示手段を備える情報送信装置と送受信する情報記憶サーバであって、前記装置識別情報送信手段の送信する前記装置識別情報を受信するサーバ装置情報受信手段と、記号列及び前記装置識別情報と異なる固有の識別情報である端末識別情報を受信するサーバ端末情報受信手段と、前記サーバ装置情報受信手段の前記装置識別情報の受信を契機に前記乱数を生成させるサーバ乱数生成手段と、前記サーバ装置情報受信手段の受信する前記装置識別情報と前記サーバ乱数生成手段の生成させる前記乱数とを互いに関連付けて記憶するサーバ乱数記憶手段と、前記サーバ乱数生成手段の生成させる前記乱数を前記装置乱数受信手段へ送信するサーバ乱数送信手段と、前記サーバ端末情報受信手段の前記記号列及び前記端末識別情報の受信を契機に、前記サーバ端末情報受信手段の受信する前記記号列が前記サーバ乱数記憶手段の記憶する前記乱数と一致することをサーバ乱数一致と判定するサーバ乱数判定手段と、前記サーバ乱数判定手段のサーバ乱数一致の判定を契機に、前記サーバ乱数判定手段の判定する前記乱数に関連付けて前記サーバ乱数記憶手段の記憶している前記装置識別情報を、前記サーバ乱数判定手段の判定する前記記号列と共に前記サーバ端末情報受信手段が受信した前記端末識別情報に関連付けて記憶するサーバ端末情報記憶手段と、前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００３５】
又、本発明に係る情報記憶サーバは、外部からの信号入力を契機に固有の識別情報である装置識別情報を暗号化して暗号化識別情報を生成させる装置暗号化手段、前記装置暗号化手段の生成させる前記暗号化識別情報を前記装置識別情報と共に送信する装置識別情報送信手段、及び、前記装置暗号化手段の生成させる前記暗号化識別情報を表示する装置暗号表示手段を備える情報送信装置と送受信する情報記憶サーバであって、前記装置識別情報送信手段の送信する前記暗号化識別情報及び前記装置識別情報を受信するサーバ装置情報受信手段と、記号列及び前記装置識別情報と異なる固有の識別情報である端末識別情報を受信するサーバ端末情報受信手段と、前記サーバ装置情報受信手段の受信する前記暗号化識別情報を記憶するサーバ暗号記憶手段と、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定した前記暗号化識別情報を復号するサーバ復号手段と、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００３６】
又、本発明に係る情報記憶サーバは、外部からの信号入力を契機に固有の識別情報である装置識別情報を送信する装置識別情報送信手段、暗号化識別情報を受信する装置暗号受信手段、及び、前記装置暗号受信手段の受信する前記暗号化識別情報を表示する装置暗号表示手段を備える情報送信装置と送受信する情報記憶サーバであって、前記装置識別情報送信手段の送信する前記装置識別情報を受信するサーバ装置情報受信手段と、記号列及び前記装置識別情報と異なる固有の識別情報である端末識別情報を受信するサーバ端末情報受信手段と、前記サーバ装置情報受信手段の受信する前記装置識別情報を暗号化して前記暗号化識別情報を生成させるサーバ暗号化手段と、前記サーバ装置情報受信手段の受信する前記装置識別情報と前記サーバ暗号化手段の生成させる前記暗号化識別情報とを互いに関連付けて記憶するサーバ暗号記憶手段と、前記サーバ暗号化手段の生成させる前記暗号化識別情報を前記装置暗号受信手段へ送信するサーバ暗号送信手段と、前記サーバ端末情報受信手段の前記記号列及び前記端末識別情報の受信を契機に、前記サーバ装置情報受信手段の受信する前記暗号化識別情報が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定する前記暗号化識別情報に関連付けて前記サーバ暗号記憶手段の記憶している前記装置識別情報を、前記サーバ暗号判定手段の判定する前記記号列と共に前記サーバ端末情報受信手段が受信した前記端末識別情報に関連付けて記憶するサーバ端末情報記憶手段と、前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００３７】
又、本発明に係る情報記憶サーバは、外部からの信号入力を契機に固有の識別情報である装置識別情報を送信する装置識別情報送信手段、暗号化識別情報を受信する装置暗号受信手段、及び、前記装置暗号受信手段の受信する前記暗号化識別情報を表示する装置暗号表示手段を備える情報送信装置と送受信する情報記憶サーバであって、前記装置識別情報送信手段の送信する前記装置識別情報を受信するサーバ装置情報受信手段と、記号列及び前記装置識別情報と異なる固有の識別情報である端末識別情報を受信するサーバ端末情報受信手段と、前記サーバ装置情報受信手段の受信する前記装置識別情報を暗号化して前記暗号化識別情報を生成させるサーバ暗号化手段と、前記サーバ暗号化手段の生成させる前記暗号化識別情報を記憶するサーバ暗号記憶手段と、前記サーバ暗号化手段の生成させる前記暗号化識別情報を前記装置暗号受信手段へ送信するサーバ暗号送信手段と、前記サーバ端末情報受信手段の前記記号列及び前記端末識別情報の受信を契機に、前記サーバ端末情報受信手段の受信する前記記号列が前記サーバ暗号記憶手段の記憶する前記暗号化識別情報と一致することをサーバ暗号一致と判定するサーバ暗号判定手段と、前記サーバ暗号判定手段のサーバ暗号一致の判定を契機に、前記サーバ暗号判定手段の判定した前記暗号化識別情報を復号するサーバ復号手段と、前記サーバ復号手段の復号した前記装置識別情報を、前記サーバ暗号判定手段の判定する前記記号列と共に前記サーバ端末情報受信手段が受信した前記端末識別情報に関連付けて記憶するサーバ端末情報記憶手段と、前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、を備えることを特徴とする。
【００３８】
前記情報送信装置の送信する前記装置識別情報及び前記収集情報を受信するサーバ収集情報受信手段と、前記サーバ収集情報受信手段の受信する前記装置識別情報に関連付けて記憶している前記端末識別情報を抽出し、前記サーバ収集情報受信手段の受信する前記収集情報を、抽出した前記端末識別情報に関連付けて記憶するサーバ収集情報記憶手段と、をさらに備えることが好ましい。本発明により、情報記憶サーバは、装置情報収集手段の収集する収集情報を、サーバ収集情報記憶手段が装置識別情報と関連付けて記憶している端末識別情報の端末装置に送信し、それ以外の端末装置の収集情報の取得を防ぐことができる。
【００４０】
前記サーバ収集情報受信手段の前記収集情報の受信又は所定時間の経過を契機に、前記サーバ収集情報記憶手段の記憶する前記収集情報を、前記収集情報に関連付けて記憶されている前記端末識別情報の端末装置へ送信するサーバ収集情報送信手段をさらに備えることが好ましい。本発明により、情報記憶サーバは、装置情報収集手段の収集する収集情報を、サーバ収集情報記憶手段が装置識別情報と関連付けて記憶している端末識別情報の端末装置に送信し、それ以外の端末装置の収集情報の取得を防ぐことができる。
【００４１】
又、本発明に係るコンピュータプログラムは前記情報記憶サーバを実現するためのコンピュータプログラムである。
【００４２】
又、本発明に係る記録媒体は、前記コンピュータプログラムを記録したコンピュータ読み取り可能な記録媒体である。
【発明の効果】
【００４３】
本発明に係る情報記憶システム、当該情報記憶システムに用いられる情報記憶サーバ及び情報送信装置、並びに、当該情報記憶サーバを実現するためのコンピュータプログラム及び当該コンピュータプログラムを記録したコンピュータ読み取り可能な記録媒体は、サーバ端末情報記憶手段が情報送信装置に表示された乱数又は暗号化識別情報を送信した端末装置のみを情報送信装置と関連付けて記憶するので、情報送信装置が手元にない第三者の端末装置と情報送信装置とを情報記憶サーバが関連付けて記憶することを防ぐことができる。更に、情報記憶サーバが情報送信装置に関連付けて記憶している端末装置に対して情報送信装置の送信する情報を配信する場合、端末装置は情報送信装置に表示された乱数又は暗号化識別情報を入力して情報記憶サーバに送信するだけで情報記憶サーバに情報送信装置と関連付けて記憶させることができるので、端末装置は簡単に情報送信装置の送信する情報の配信を受けることができる。
【発明を実施するための最良の形態】
【００４４】
添付の図面を参照して本発明の実施の形態を説明する。以下に説明する実施の形態は本発明の構成の例であり、本発明は、以下の実施の形態に制限されるものではない。
【００４５】
（実施形態１）
図１は、本実施形態に係る情報記憶システムの構成図である。図１に示す情報記憶システムは、固有の識別情報である装置識別情報２が付されている情報送信装置１１ａ、装置識別情報２と異なる固有の識別情報である端末識別情報３が付されている端末装置１２ａ、並びに、情報送信装置１１ａ及び端末装置１２ａと送受信する情報記憶サーバ１３ａを備える。
【００４６】
情報送信装置１１ａは、固有の識別情報である装置識別情報２が付されているものである。情報送信装置１１ａは、情報記憶サーバ１３ａと送受信するものであり、例えば、情報送信装置１１ａに備わる送受信手段１７ａを用いることができる。送受信手段１７ａとしては、例えば、インターネット等の通信網１００を介して送受信するものを用いることができる。装置識別情報２は、情報記憶サーバ１３ａが情報送信装置１１ａを識別する際に用いる情報であり、ＩＰアドレス又は情報送信装置１１ａのユニークＩＤとすることができる。又、本実施形態に係る情報記憶システム内での固有の識別情報を付与してもよい。送受信手段１７ａが装置識別情報２を送信する場合、ヘッダ情報として送信してもよい。
【００４７】
情報送信装置１１ａは、外部からの信号入力を契機に乱数４を生成させる装置乱数生成手段２１と、装置乱数生成手段２１の生成させる乱数４を装置識別情報２と共に情報記憶サーバ１３ａへ送信する装置識別情報送信手段２２と、装置乱数生成手段２１の生成させる乱数４を表示する装置乱数表示手段２５と、を備える。
【００４８】
装置乱数生成手段２１は、外部から入力された入力信号１が入力されたことを契機に乱数４を生成させるものである。例えば、情報送信装置１１ａに備わる入力パッド又は入力ボタンを用いて入力信号１が入力されたときに乱数４を発生させる。乱数４の発生は、例えば、線形合同法、ＧＦＳＲ（Ｇｅｎｅｒａｌｉｚｅｄ  Ｆｅｅｄｂａｃｋ  Ｓｈｉｆｔ  Ｒｅｇｉｓｔｅｒ）法、複数のＧＦＳＲ乱数の排他的論理和をとって新しい乱数を作り出す組合せ生成法又はメルセンヌ・トゥイスターＭｅｒｓｅｎｎｅ  Ｔｗｉｓｔｅｒを用いて生成させることができる。
【００４９】
装置識別情報送信手段２２は、装置乱数生成手段２１の生成させる乱数４を装置識別情報２と共に情報記憶サーバ１３ａへ送信するものである。例えば、装置識別情報送信手段２２は、信号Ａ２２を送信し、信号Ａ２２に乱数４及び装置識別情報２が含まれる。信号Ａ２２は、装置識別情報２を送信元アドレスとし、アプリケーションデータとして乱数４を送信することができる。又、アプリケーションデータに装置識別情報２と乱数４が含まれていてもよい。情報記憶サーバ１３ａへの送信は、例えば、送受信手段１７ａを用いることができる。
【００５０】
装置乱数表示手段２５は、装置乱数生成手段２１の生成させる乱数４を表示するものである。表示するものとしては、例えば、液晶パネル又は有機又は無機のエレクトロルミネセンスパネルなどの表示装置或いは紙へ出力するプリンタを用いることができる。
【００５１】
情報送信装置１１ａは、装置乱数記憶手段２７と、装置乱数判定手段２９と、をさらに備えることが好ましい。装置乱数記憶手段２７は、装置乱数生成手段２１の生成させる乱数４を記憶する。乱数４を記憶するものとしては、例えば、半導体メモリー、磁気記憶、光記憶又は光磁気記憶がある。磁気記憶には、例えば、ハードディスク又は磁気テープである。装置乱数判定手段２９は、装置乱数記憶手段２７の記憶している乱数４が、サーバ端末情報記憶手段７２に記憶されている記号列６と一致することを装置乱数一致と判定する。装置乱数判定手段２９は、サーバ端末情報記憶手段７２と送受信する送受信装置を含む。送受信装置は、装置識別情報送信手段２２と共通のものを用いてもよい。これにより、情報記憶サーバ１３ａが情報送信装置１１ａと端末装置１２ａとを関連付けて記憶したことを情報送信装置１１ａから確認することができる。よって、情報送信装置１１ａは収集情報７が情報記憶サーバ１３ａに収集情報７を記憶可能になったことを判定することができる。
【００５２】
情報送信装置１１ａは、更に、あらかじめ定められた収集情報７を収集する装置情報収集手段２０と、装置情報収集手段２０の収集する収集情報７及び装置識別情報２を情報記憶サーバ１３ａへ送信する装置収集情報送信手段３０と、をさらに備えることが好ましい。
【００５３】
装置情報収集手段２０は、あらかじめ定められた収集情報７を収集する。あらかじめ定められた情報は、例えば、センサが取得した情報である。電気通信網を介してアクセスすることのできるサーバに記憶されているコンテンツであってもよい。例えば、ニュースのメール配信である。又、映像を撮像するビデオ装置であってもよい。例えばペットや自宅の映像である。
【００５４】
装置情報収集手段２０の収集する収集情報７は、脈波、心電、血圧、脈拍、体温又は動脈血酸素飽和度、血液成分（血糖、血中脂質、コレステロール、中性脂肪、過酸化脂質）、コレステロール、体脂肪、体重、尿の成分（塩分、尿酸値）であることが好ましい。装置情報収集手段２０が生体情報を収集すれば、生体情報を情報記憶サーバ１３ａに記憶することができるので、端末装置１２ａを用いて家族や医師に情報記憶サーバ１３ａにアクセス可能とし、生体情報の管理が容易となる。
【００５５】
装置収集情報送信手段３０は、装置情報収集手段２０の収集する収集情報７及び装置識別情報２を情報記憶サーバ１３ａへ送信する。例えば、装置収集情報送信手段３０は、収集情報７及び装置識別情報２を含む信号Ａ３０をサーバ端末情報記憶手段７２へ送信するものである。装置識別情報２は、信号Ａ３０のヘッダ情報であってもよい。装置収集情報送信手段３０は、装置識別情報送信手段２２と同様のものを用いることができる。又、装置識別情報送信手段２２が装置収集情報送信手段３０の機能を有していてもよい。このように、情報送信装置１１ａが装置情報収集手段２０と装置収集情報送信手段３０を更に備えることにより、情報記憶サーバ１３ａは情報送信装置１１ａの収集した収集情報７を記憶することができる。
【００５６】
装置収集情報送信手段３０は、装置乱数判定手段２９の装置乱数一致の判定を契機に、装置情報収集手段２０の収集する収集情報７及び装置識別情報２を情報記憶サーバ１３ａへ送信することが好ましい。情報送信装置１１ａは、装置乱数判定手段２９の装置乱数一致の判定を契機に装置情報収集手段２０の収集する収集情報７を送信するので、情報記憶サーバ１３ａは、必要な収集情報７を必要なときのみ受信して記憶することができる。これにより、情報記憶サーバ１３ａの記憶領域及び通信経路を効率よく使用することができる。
【００５７】
端末装置１２ａは、装置識別情報２と異なる固有の識別情報である端末識別情報３が付されているものである。端末識別情報３は、情報記憶サーバ１３ａが端末装置１２ａを識別する際に用いる情報であり、ＩＰアドレス又は端末装置１２ａのユニークＩＤとすることができる。又、本実施形態に係る情報記憶システム内での固有の識別情報を付与してもよい。端末装置１２ａとしては、例えば、携帯電話、携帯端末装置又はパソコンを用いることができる。
【００５８】
端末装置１２ａは、記号列６を取得する端末記号取得手段１５と、端末記号取得手段１５の取得する記号列６を端末識別情報３と共に情報記憶サーバ１３ａへ送信する端末記号送信手段１６と、を備える。端末記号取得手段１５は、例えば、キーボード、キーパッド、ダイアルキー又は撮像素子を用いることができる。端末記号取得手段１５がキーボード、キーパッド又はダイアルキーである場合、記号列６は、端末装置１２ａの所有者が、装置乱数表示手段２５に表示された乱数を入力したものとなる。端末記号取得手段１５が撮像素子である場合、記号列６は、バーコードから読み取ったものとすることができる。端末記号送信手段１６は、情報記憶サーバ１３ａへ記号列６及び端末識別情報３を含む信号Ａ１６を送信するものであり、例えば、端末装置１２ａに備わる送受信手段を用いることができる。ここで、信号Ａ１６は、端末装置１２ａが携帯電話であれば、例えば、携帯電話の送受信する信号である。又、インターネットなどのＩＰ網を用いて送信するものであってもよい。端末記号送信手段１６が端末識別情報３を送信する場合、ヘッダ情報として送信してもよい。
【００５９】
情報記憶サーバ１３ａは、情報送信装置１１ａ及び端末装置１２ａと送受信するものである。情報記憶サーバ１３ａは、情報送信装置１１ａ又は端末装置１２ａと送受信する前に、予め装置識別情報２及び端末識別情報３を記憶する。そして、情報記憶サーバ１３ａは、情報送信装置１１ａ又は端末装置１２ａと送受信する際に、信号に含まれる装置識別情報２又は端末装置１２ａを識別して送受信する情報送信装置１１ａを特定する。情報送信装置１１ａとの送受信と、端末装置１２ａとの送受信とは同一の送受信手段１８ａを用いることができる。例えば、通信網１００をＩＰ網とし、いずれもＩＰ通信を用いて送受信することができる。又、送受信手段１８ａは、情報送信装置１１ａとの送受信と、端末装置１２ａとの送受信とで異なる送受信方法を用いてもよい。例えば、情報送信装置１１ａとの送受信とは専用回線を用いた通信網とし、端末装置１２ａとの送受信はインターネットとすることができる。更に、情報送信装置１１ａとの送受信において、送受信する信号に応じて異なる送受信手段を用いてもよい。
【００６０】
情報記憶サーバ１３ａは、サーバ装置情報受信手段６１と、端末情報受信手段６３と、サーバ乱数記憶手段６６と、サーバ乱数判定手段６８と、サーバ端末情報記憶手段７２と、を備える。
【００６１】
サーバ装置情報受信手段６１は、装置識別情報送信手段２２の送信する乱数４及び装置識別情報２を受信する。例えば、乱数４及び装置識別情報２を含む信号Ａ２２を受信する。そして、装置識別情報２及び乱数４を抽出し、サーバ乱数記憶手段６６へ出力する。
【００６２】
サーバ端末情報受信手段６３は、端末記号送信手段１６の送信する記号列６及び端末識別情報３を受信する。例えば、記号列６及び端末識別情報３を含む信号Ａ１６を受信する。そして、例えば、ヘッダ情報に含まれる端末識別情報３を識別し、端末識別情報３と、端末識別情報３に添付されているアプリケーションデータを記号列６としてサーバ乱数判定手段６８へ出力する。ここで、サーバ端末情報受信手段６３は、サーバ装置情報受信手段６１と共通の送受信手段１８ａを用いてもよい。
【００６３】
サーバ乱数記憶手段６６は、サーバ装置情報受信手段６１の受信する乱数４及び装置識別情報２を互いに関連付けて記憶する。例えば、テーブル形式で記憶する。乱数４を記憶するものとしては、例えば、前述の装置乱数記憶手段２７と同様のものを用いることができる。更に、サーバ乱数記憶手段６６は、端末装置１２ａ用のユーザ領域が端末識別情報３と関連付けて割り当てられているものとすることができる。又、情報送信装置１１ａ用のユーザ領域が装置識別情報２と関連付けて割り当てられているものとすることができる。又、一時的に記憶し、記憶している時間が所定時間を過ぎると消去されることが好ましい。所定時間は予め定められた時間で、装置識別情報２が複数記憶される場合には、装置識別情報２ごとに設定することが好ましい。
【００６４】
サーバ乱数判定手段６８は、サーバ端末情報受信手段６３の記号列６及び端末識別情報３の受信を契機に、サーバ端末情報受信手段６３の受信する記号列６がサーバ乱数記憶手段６６の記憶する乱数４と一致することをサーバ乱数一致と判定する。例えば、サーバ端末情報受信手段６３から端末識別情報３と記号列６が入力され、これを契機にサーバ乱数記憶手段６６を参照して記号列６と乱数４とを照合する。そして、記号列６と乱数４とが一致する場合に、サーバ乱数一致と判定する。さらに、サーバ乱数一致と判定した乱数４に関連付けてサーバ乱数記憶手段６６に記憶されている装置識別情報２を抽出し、抽出した装置識別情報２と端末識別情報３とをサーバ端末情報記憶手段７２へ出力するものとすることができる。
【００６５】
サーバ端末情報記憶手段７２は、装置識別情報２と端末識別情報３とを関連付けて記憶する。例えば、サーバ端末情報記憶手段７２は、ポータルサイトであり、端末識別情報３と関連付けたアカウントが予め用意されているものである。装置識別情報２は、サーバ乱数判定手段６８がサーバ乱数一致と判定した乱数４に関連付けてサーバ乱数記憶手段６６が記憶しているものである。又、端末識別情報３は、サーバ乱数判定手段６８がサーバ乱数一致と判定した記号列６と共にサーバ乱数判定手段６８に入力されたものである。すなわち、サーバ乱数判定手段６８の判定する記号列６と共にサーバ端末情報受信手段６３が受信したものである。サーバ端末情報記憶手段７２が装置識別情報２と端末識別情報３とを関連付けて記憶することで、情報送信装置１１ａと端末装置１２ａの所有者が同一人か又は関連のある者であることを記憶することができる。これにより、端末装置１２ａは、情報記憶サーバ１３ａにアクセスし、サーバ収集情報受信手段７８の記憶する収集情報７を閲覧したり、取得したりすることができる。又、サーバ収集情報送信手段７６の送信する信号Ａ７６を受信することができる。
【００６６】
サーバ端末情報記憶手段７２は、情報送信装置１１ａが装置乱数記憶手段２７及び装置乱数判定手段２９を備える場合、装置識別情報２と端末識別情報３とに加え、乱数４をさらに関連付けて記憶することが好ましい。乱数４は、装置識別情報２と端末識別情報３とを記憶する際にサーバ乱数判定手段６８がサーバ乱数一致と判定したものである。装置識別情報２は、サーバ乱数記憶手段６６が乱数４と関連付けて記憶しているものとなる。これにより、情報送信装置１１ａは、情報記憶サーバ１３ａが情報送信装置１１ａと端末装置１２ａとを関連付けて記憶したことを情報送信装置１１ａから確認することができる。
【００６７】
情報記憶サーバ１３ａは、装置収集情報送信手段３０の送信する装置識別情報２及び収集情報７を受信するサーバ収集情報受信手段７８と、サーバ収集情報受信手段７８の受信する装置識別情報２に関連付けて記憶している端末識別情報３を抽出し、サーバ収集情報受信手段７８の受信する収集情報７を、抽出した端末識別情報３に関連付けて記憶するサーバ収集情報記憶手段７４と、をさらに備えることが好ましい。例えば、サーバ収集情報受信手段７８は、装置識別情報２及び収集情報７の含まれる信号Ａ３０を受信し、装置識別情報２及び収集情報７を抽出してサーバ収集情報記憶手段７４へ出力する。サーバ収集情報記憶手段７４は、サーバ収集情報受信手段７８を参照して入力された装置識別情報２に関連付けて記憶している端末識別情報３を抽出する。そして、抽出した端末識別情報３と入力された収集情報７を記憶する。ここで、サーバ収集情報受信手段７８は、サーバ装置情報受信手段６１と共通の送受信手段を用いてもよい。このように、情報記憶サーバ１３ａは、サーバ収集情報受信手段７８とサーバ収集情報記憶手段７４をさらに備えれば、装置情報収集手段２０の収集する収集情報７を、サーバ収集情報記憶手段７４が装置識別情報２と関連付けて記憶している端末識別情報３の端末装置１２ａにのみ取得可能とし、それ以外の端末装置１２ａの収集情報７の取得を防ぐことができる。
【００６８】
情報記憶サーバ１３ａは、サーバ収集情報受信手段７８の収集情報７の受信又は所定時間の経過を契機に、サーバ収集情報記憶手段７４の記憶する収集情報７を、収集情報７に関連付けて記憶されている端末識別情報３の端末装置１２ａへ送信するサーバ収集情報送信手段７６をさらに備えることが好ましい。サーバ収集情報送信手段７６は、例えば、端末識別情報３及び収集情報７を含む信号Ａ７６を送信する。サーバ収集情報送信手段７６は、サーバ装置情報受信手段６１やサーバ端末情報受信手段６３と共通の送受信手段１８ａを用いてもよい。このように、情報記憶サーバ１３ａがサーバ収集情報送信手段７６をさらに備えれば、記憶している収集情報７を、その収集情報７と関連付けて記憶されている端末装置識別情報の端末装置１２ａへ選択的に送信することができる。これにより、収集情報７を、登録された端末装置１２ａへ自動配信することができる。
【００６９】
更に、本実施形態に係る情報記憶サーバ１３ａは、情報記憶サーバ１３ａを実現するためのコンピュータプログラムであってもよい。又、情報記憶サーバ１３ａは、情報記憶サーバ１３ａを実現するためのコンピュータプログラムを記録したコンピュータ読み取り可能な記録媒体であってもよい。
【００７０】
本実施形態における情報記憶システムに動作の一例について、図１及び図３を用いて説明する。図３は、本実施形態に係る情報記憶サーバの動作の一例を示すフロー図である。開始ステップＳ１０１の前に、装置識別情報送信手段２２は、予め情報記憶サーバのアドレスを取得しておく。
【００７１】
装置識別情報入力待ちステップＳ１０２では、情報記憶サーバ１３ａは、情報送信装置１１ａの装置識別情報２が入力されると、装置識別情報の保存ステップＳ１０３へ移行する。一方、装置識別情報２が入力されなければ、異常終了ステップＳ１１１へ移行する。異常終了ステップＳ１１１へは、置識別情報入力待ちステップＳ１０２が所定時間継続した後とすることができる。
【００７２】
異常終了ステップＳ１１１では、例えば、情報記憶システムを終了する。
【００７３】
装置識別情報の保存ステップＳ１０３では、情報記憶サーバ１３ａは、装置識別情報２を記憶する。例えば、サーバ乱数記憶手段６６が記憶することすることができる。
【００７４】
乱数の受信待ちステップＳ１０４では、サーバ装置情報受信手段６１が乱数４及び装置識別情報２を受信すると、乱数保存ステップＳ１０５へ移行する。乱数４及び装置識別情報２は、情報送信装置１１ａに備わる入力ボタンが押されたことを契機に、装置識別情報送信手段２２が送信したものである。一方、サーバ装置情報受信手段６１が乱数４及び装置識別情報２を受信しないと、装置識別情報２の削除ステップＳ１０９へ移行する。装置識別情報２の削除ステップＳ１０９への移行は、乱数の受信待ちステップＳ１０４が所定時間継続した後とすることができる。
【００７５】
乱数保存ステップＳ１０５では、サーバ乱数記憶手段６６が乱数４を記憶する。このとき、例えば、情報送信装置１１ａ用のユーザ領域に乱数４と装置識別情報２を関連付けて記憶する。そして、記号列の受信待ちステップＳ１０６へ移行する。
【００７６】
ここで、サーバ乱数記憶手段６６は、乱数４及び装置識別情報２を記憶している時間を所定時間内とし、所定時間を過ぎると消去することが好ましい。所定時間内しか乱数４を記憶しないことで、乱数４の重複を防ぎ、装置乱数表示手段２５に表示された乱数４を見た人以外の人が送信した不正な記号列によって端末装置１２ａ以外の端末装置が登録されるのを防ぐことができる。
【００７７】
装置識別情報２の削除ステップＳ１０９では、サーバ装置情報受信手段６１が装置識別情報２を削除する。この後、異常終了ステップＳ１１１へ移行する。
【００７８】
記号列の受信待ちステップＳ１０６では、サーバ端末情報受信手段６３が端末記号送信手段１６の送信した記号列６を受信すると、乱数と記号列の比較ステップＳ１０７へ移行する。一方、サーバ端末情報受信手段６３が乱数保存ステップＳ１０５の経過後所定時間内に記号列６を受信しなければ、装置識別情報２及び乱数４の削除ステップＳ１１０へ移行する。
【００７９】
ここで、乱数の受信待ちステップＳ１０４で受信する乱数４が作成される際に、装置乱数表示手段２５が乱数４を表示する。端末装置１２ａの所有者は、装置乱数表示手段２５に表示された乱数４を見て、その乱数４を端末記号取得手段１５に一定時間内に入力する。端末記号取得手段１５は入力された乱数４を記号列６として取得する。端末記号送信手段１６は、端末記号取得手段１５の取得した記号列６を端末識別情報３と共に情報記憶サーバ１３ａへ送信する。
【００８０】
乱数と記号列の比較ステップＳ１０７では、記号列の受信待ちステップＳ１０６においてサーバ端末情報受信手段６３の受信した記号列６と、乱数保存ステップＳ１０５においてサーバ乱数記憶手段６６が記憶した乱数４と、を比較する。そして、それらが一致すればサーバ乱数一致と判定し、登録完了ステップＳ１０８へ移行する。一方、記号列６と乱数４とが一致しない場合、装置識別情報２及び乱数４の削除ステップＳ１１０へ移行する。
【００８１】
装置識別情報の削除ステップＳ１１０では、装置識別情報の保存ステップＳ１０３においてサーバ乱数記憶手段６６が記憶した装置識別情報２を削除する。
【００８２】
登録完了ステップＳ１０８では、例えば、サーバ端末情報記憶手段７２が装置識別情報２と端末識別情報３とを関連付けて記憶する。これにより、情報記憶サーバ１３ａは、情報送信装置１１ａの収集した情報のアクセス許可先として端末装置１２ａを登録する。ここで、サーバ端末情報記憶手段７２は、端末識別情報３と関連付けたアカウントに装置識別情報２を関連付けて記憶してもよい。
【００８３】
以上説明したように、本実施形態に係る情報記憶システム、当該情報記憶システムに用いられる情報記憶サーバ及び情報送信装置、並びに、当該情報記憶サーバを実現するためのコンピュータプログラム及び当該コンピュータプログラムを記録したコンピュータ読み取り可能な記録媒体は、サーバ端末情報記憶手段７２が情報送信装置１１ａに表示された乱数４を送信した端末装置１２ａのみを情報送信装置と関連付けて記憶するので、情報送信装置１１ａが手元にない第三者の端末装置と情報送信装置１１ａとを情報記憶サーバ１３ａが関連付けて記憶することを防ぐことができる。更に、情報記憶サーバ１３ａが情報送信装置１１ａに関連付けて記憶している端末装置１２ａに対して情報送信装置１１ａの送信する情報を配信する場合、端末装置１２ａは情報送信装置１１ａに表示された乱数４を入力して情報記憶サーバ１３ａに送信するだけで情報記憶サーバ１３ａに情報送信装置１１ａと関連付けて記憶させることができるので、端末装置１２ａは簡単に情報送信装置１１ａの送信する情報の配信を受けることができる。
【００８４】
情報送信装置１１ａが表示した乱数４を用いて情報送信装置１１ａの所有者と端末装置１２ａの所有者との一致を判定し、一致した端末装置１２ａを情報送信装置１１ａと関連付けて記憶するので、情報送信装置１１ａが手元にない第三者の端末装置が情報送信装置１１ａと関連付けて記憶されることを防ぐことができる。これにより、情報送信装置１１ａが手元にない第三者の情報送信装置１１ａの収集情報７の取得を防止することができる。更に、情報送信装置１１ａに信号が入力されるとすぐに乱数４を発生させて表示するので、情報送信装置１１ａに信号を入力した人はすぐに乱数４を取得することができる。これにより、第三者に乱数４を知られる危険性を減少させることができる。又、情報送信装置１１ａが乱数４を発生させるので、情報記憶サーバ１３ａの処理を軽減することができる。
【００８５】
情報記憶サーバ１３ａのサーバ端末情報記憶手段７２が変換テーブルを用意し、情報送信装置１１ａから送信された測定データ（収集情報７）をＡさんの保存領域に転送する。この方法によって情報送信装置１１ａの所有者が、情報送信装置１１ａが手元にあり、入力信号１を入力した人であることを証明する。情報送信装置１１ａに表示された乱数４を人間が端末装置１２ａに入力して情報記憶サーバ１３ａへ送信するので、情報送信装置１１ａからの送信と端末装置１２ａからの送信のタイミングを人間がとることになる。このため、一定時間内の送信が確保できる。又、情報送信装置１１ａは情報記憶サーバ１３ａに乱数を送信できればよいので、初期通信設定の際に端末装置１２ａの情報などを記憶する必要がない。不特定多数の購買者に対して同一の設定とすることができるので、初期設定が容易である。
【００８６】
（実施形態２）
本実施形態に係る情報記憶システムについて図１を用いて説明する。本実施形態に係る情報記憶システムは、実施形態１で説明した装置乱数生成手段２１に代えて装置暗号化手段２１が備わり、乱数４に代えて暗号化識別情報を生成させることを特徴とする。以下、本実施形態に係る情報記憶システムについて、実施形態１との異なる点について説明する。
【００８７】
情報送信装置１１ａは、実施形態１で説明した装置乱数生成手段２１と、装置識別情報送信手段２２と、装置乱数表示手段２５と、に代えて、装置暗号化手段２１と、装置識別情報送信手段２２と、装置暗号表示手段２５と、を備える。情報送信装置１１ａは、乱数４を暗号化識別情報として、実施形態１で説明した情報送信装置１１ａと同様のものを用いることができる。
【００８８】
情報記憶サーバ１３ａは、実施形態１で説明したサーバ乱数記憶手段６６と、サーバ乱数判定手段６８と、サーバ端末情報記憶手段７２とに代えて、サーバ暗号記憶手段６６と、サーバ暗号判定手段６８と、サーバ端末情報記憶手段７２と、を備える。情報記憶サーバ１３ａは、乱数４を暗号化識別情報として、実施形態１で説明した情報記憶サーバ１３ａと同様のものを用いることができる。
【００８９】
なお、本実施形態において、上記に記載していない構成については、乱数４を暗号化識別情報として、実施形態１で説明した情報記憶システムと同様の構成とすることができる。情報送信装置１１ａが表示した暗号化識別情報を用いて情報送信装置１１ａの所有者と端末装置１２ａの所有者との一致を判定し、一致した端末装置１２ａを情報送信装置１１ａと関連付けて記憶するので、情報送信装置１１ａが手元にない第三者の端末装置が情報送信装置１１ａと関連付けて記憶されることを防ぐことができる。これにより、情報送信装置１１ａが手元にない第三者の情報送信装置１１ａの収集情報７の取得を防止することができる。更に、情報送信装置１１ａに信号が入力されるとすぐに暗号化識別情報を発生させて表示するので、情報送信装置１１ａに信号を入力した人はすぐに暗号化識別情報を取得することができる。これにより、第三者に暗号化識別情報を知られる危険性を減少させることができる。又、情報送信装置１１ａが暗号化識別情報を発生させるので、情報記憶サーバ１３ａの処理を軽減することができる。更に、装置識別情報２を暗号化した記号列６を鍵とするので、装置識別情報２ごとに固有の情報を残すことで、他の装置識別情報２が暗号化された暗号化識別情報との重複を防止することができる。
【００９０】
（実施形態３）
図２は、本実施形態に係る情報記憶システムの構成図である。図１に示す情報記憶システムにおいては情報送信装置１１ａが乱数４を発生させたが、図２に示す情報記憶システムは情報記憶サーバ１３ｂが乱数４を発生させることを特徴とする。情報記憶システムについての具体的な構成を説明する。
【００９１】
情報送信装置１１ｂは、前述の実施形態１で説明した情報送信装置１１ａに、さらに装置乱数受信手段２４を備える。すなわち、情報送信装置１１ｂは、装置識別情報送信手段２３と、装置乱数受信手段２４と、装置乱数表示手段２６と、を備える。情報送信装置１１ｂは、情報記憶サーバ１３ｂと送受信するものであり、例えば、情報送信装置１１ｂに備わる送受信手段１７ｂを用いることができる。送受信手段１７ｂは実施形態１で説明した送受信手段１７ａと同様のものを用いることができる。
【００９２】
装置識別情報送信手段２３は、外部からの信号入力を契機に装置識別情報２を情報記憶サーバ１３ｂへ送信する。例えば、外部から入力された入力信号１が入力された場合に、装置識別情報送信手段２３は、乱数４及び装置識別情報２が含まれる信号Ｂ２３を送信する。信号Ｂ２３は、装置識別情報２を送信元アドレスとし、アプリケーションデータとして乱数４を送信することができる。又、アプリケーションデータに装置識別情報２と乱数４が含まれていてもよい。情報記憶サーバ１３ｂへの送信は、例えば、送受信手段１７ｂを用いることができる。
【００９３】
装置乱数受信手段２４は、情報記憶サーバ１３ｂの送信する乱数を受信する。例えば、装置乱数受信手段２４は、サーバ乱数送信手段７１の送信する信号Ｂ７１を受信する。そして、装置乱数表示手段２６へ乱数４を出力する。装置乱数受信手段２４は、他の送受信手段と共通の送受信手段１７ｂを用いることができる。
【００９４】
装置乱数表示手段２６は、装置乱数受信手段２４の受信する乱数４を表示する。実施形態１で説明した装置乱数表示手段２５と同様のものを用いることができる。
【００９５】
情報送信装置１１ｂは、装置乱数受信手段２４の受信する乱数４を記憶する装置乱数記憶手段２８と、装置乱数記憶手段２８が乱数４を記憶した時点から所定時間後に、乱数４がサーバ端末情報記憶手段７３に記憶されている記号列６と一致することを装置乱数一致と判定する装置乱数判定手段３２と、をさらに備えることが好ましい。装置乱数記憶手段２８は、乱数４を記憶するものとして、実施形態１で説明した装置乱数記憶手段２７と同様のものを用いることができる。又、装置乱数判定手段３２は、実施形態１で説明した装置乱数判定手段２９と同様のものを用いることができる。装置乱数判定手段３２が設けられていることで、情報送信装置１１ｂは情報記憶サーバ１３ｂが情報送信装置１１ｂと端末装置１２ｂとを関連付けて記憶したことを情報送信装置１１ｂから確認することができる。よって、情報送信装置１１ｂは収集情報７が情報記憶サーバ１３ｂに収集情報７を記憶可能になったことを判定することができる。
【００９６】
情報送信装置１１ｂは、更に、あらかじめ定められた収集情報７を収集する装置情報収集手段２０と、装置情報収集手段２０の収集する収集情報７及び装置識別情報２を情報記憶サーバ１３ｂへ送信する装置収集情報送信手段３１と、をさらに備えることが好ましい。装置情報収集手段２０は、実施形態１で説明した装置情報収集手段２０と同様のものを用いることができる。又、装置収集情報送信手段３１は、実施形態１で説明した装置収集情報送信手段３０と同様のものを用いることができる。すなわち、装置収集情報送信手段３１は、装置乱数判定手段３２の装置乱数一致の判定を契機に、装置情報収集手段２０の収集する収集情報７及び装置識別情報２を情報記憶サーバ１３ｂへ送信することが好ましい。又、装置情報収集手段２０の収集する収集情報７は、脈波、心電、血圧、脈拍、体温又は動脈血酸素飽和度、血液成分（血糖、血中脂質、コレステロール、中性脂肪、過酸化脂質）、コレステロール、体脂肪、体重、尿の成分（塩分、尿酸値、）であることが好ましい。
【００９７】
端末装置１２ｂは、端末記号取得手段１５と、端末記号送信手段１６と、を備える。端末装置１２ｂは、前述の実施形態１において説明した端末装置１２ａと同様のものを用いることができる。すなわち、情報記憶サーバ１３ｂへ記号列６及び端末識別情報３を含む信号Ｂ１６を送信するものであり、例えば、端末装置１２ｂに備わる送受信手段を用いることができる。
【００９８】
情報記憶サーバ１３ｂは、実施形態１で説明した情報記憶サーバ１３ａにサーバ乱数生成手段６５が設けられている。すなわち、サーバ装置情報受信手段６２と、サーバ端末情報受信手段６４と、サーバ乱数生成手段６５と、サーバ乱数記憶手段６７と、サーバ乱数送信手段７１と、サーバ乱数判定手段６９と、サーバ端末情報記憶手段７３と、を備えることを特徴とする。
【００９９】
サーバ装置情報受信手段６２は、装置識別情報送信手段２３の送信する装置識別情報２を受信する。例えば、装置識別情報２を含む信号Ａ２３を受信する。そして、例えば、装置識別情報２をサーバ乱数生成手段６５へ出力する。サーバ装置情報受信手段６２は、実施形態１で説明したサーバ装置情報受信手段６１と異なり、乱数４は受信しない。
【０１００】
サーバ端末情報受信手段６４は、端末記号送信手段１６の送信する記号列６及び端末識別情報３を受信する。例えば、記号列６及び端末識別情報３を含む信号Ｂ１６を受信する。サーバ端末情報受信手段６４としては、例えば、実施形態１で説明したサーバ端末情報受信手段６３と同様のものを用いることができる。
【０１０１】
サーバ乱数生成手段６５は、サーバ装置情報受信手段６２の装置識別情報２の受信を契機に乱数４を生成させる。そして、例えば、生成させた乱数４をサーバ乱数記憶手段６７へ出力する。なお、乱数４の発生は、実施形態１で説明した装置乱数生成手段２１と同様のものを用いることができる。
【０１０２】
サーバ乱数記憶手段６７は、サーバ装置情報受信手段６２の受信する装置識別情報２とサーバ乱数生成手段６５の生成させる乱数４とを互いに関連付けて記憶する。例えば、テーブル形式で記憶する。乱数４を記憶するものとしては、例えば、実施形態１で説明した装置乱数記憶手段２７と同様のものを用いることができる。
【０１０３】
サーバ乱数送信手段７１は、サーバ乱数生成手段６５の生成させる乱数４を装置乱数受信手段２４へ送信する。例えば、装置識別情報２を識別情報に用いて乱数４を含む信号Ｂ７１を送信する。
【０１０４】
サーバ乱数判定手段６９は、サーバ端末情報受信手段６４の記号列６及び端末識別情報３の受信を契機に、サーバ端末情報受信手段６４の受信する乱数４がサーバ乱数記憶手段６７の記憶する乱数４と一致することをサーバ乱数一致と判定する。例えば、実施形態１で説明したサーバ乱数判定手段６８と同様のものを用いることができる。
【０１０５】
サーバ端末情報記憶手段７３は、装置識別情報２と端末識別情報３とを関連付けて記憶する。例えば、実施形態１で説明したサーバ端末情報記憶手段７２と同様のものを用いることができる。更に、サーバ端末情報記憶手段７３は、情報送信装置１１ｂが装置乱数記憶手段２８及び装置乱数判定手段３２を備える場合、装置識別情報２と端末識別情報３とに加え、乱数４をさらに関連付けて記憶することが好ましい。
【０１０６】
情報記憶サーバ１３ｂは、装置収集情報送信手段３１の送信する装置識別情報２及び収集情報７を受信するサーバ収集情報受信手段７９と、サーバ収集情報受信手段７９の受信する装置識別情報２に関連付けて記憶している端末識別情報３を抽出し、サーバ収集情報受信手段７９の受信する収集情報７を、抽出した端末識別情報３に関連付けて記憶するサーバ収集情報記憶手段７５と、をさらに備えることが好ましい。サーバ収集情報受信手段７９は、前述の実施形態１で説明したサーバ収集情報受信手段７９と同様のものを用いることができる。サーバ収集情報記憶手段７５は、前述の実施形態１で説明したサーバ収集情報記憶手段７４と同様のものを用いることができる。
【０１０７】
さらに、サーバ収集情報記憶手段７５は、サーバ乱数判定手段６９の受信する装置識別情報２に関連付けて記憶している端末識別情報３を抽出し、サーバ収集情報受信手段７９の受信する収集情報７を、抽出した端末識別情報３に関連付けて記憶することが好ましい。
【０１０８】
情報記憶サーバ１３ｂは、サーバ収集情報受信手段７９の収集情報７の受信又は所定時間の経過を契機に、サーバ収集情報記憶手段７５の記憶する収集情報７を、収集情報７に関連付けて記憶されている端末識別情報３の端末装置１２ｂへ送信するサーバ収集情報送信手段７７をさらに備えることが好ましい。サーバ収集情報送信手段７７は、前述の実施形態１で説明したサーバ収集情報送信手段７６と同様のものを用いることができる。これにより、収集情報７を、登録された端末装置１２ｂへ自動配信することができる。
【０１０９】
更に、本実施形態に係る情報記憶サーバ１３ｂは、情報記憶サーバ１３ｂを実現するためのコンピュータプログラムであってもよい。又、情報記憶サーバ１３ｂは、情報記憶サーバ１３ｂを実現するためのコンピュータプログラムを記録したコンピュータ読み取り可能な記録媒体であってもよい。
【０１１０】
本実施形態における情報記憶システムに動作の一例について、図２及び図４を用いて説明する。図４は、本実施形態に係る情報記憶サーバの動作の一例を示すフロー図である。開始ステップＳ２０１の前に、情報記憶サーバ１３ｂは、予め装置乱数受信手段２４のアドレスを取得しておく。又、情報記憶サーバ１３ｂは、サーバ端末情報記憶手段７３のポータルサイトにアカウントを作成する。情報記憶サーバ１３ｂは、端末装置１２ｂのユーザ領域を端末識別情報３に関連付けることでサーバ乱数記憶手段６７に割り当てる。
【０１１１】
装置識別情報入力待ちステップＳ２０２では、サーバ装置情報受信手段６２は、情報送信装置１１ｂの装置識別情報２が入力されると、乱数作成ステップＳ２０３へ移行する。一方、装置識別情報２が入力されなければ、装置識別情報の削除ステップＳ２０９へ移行する。装置識別情報の削除ステップＳ２０９への移行は、例えば、置識別情報入力待ちステップＳ２０２が所定時間継続した後とすることができる。
【０１１２】
乱数作成ステップＳ２０３では、サーバ乱数生成手段６５が乱数４を生成させる。そして、乱数保存ステップＳ２０４へ移行する。
【０１１３】
装置識別情報の削除ステップＳ２０９では、サーバ装置情報受信手段６２が装置識別情報２を削除する。この後、異常終了ステップＳ２１１へ移行する。
【０１１４】
乱数保存ステップＳ２０４では、サーバ乱数記憶手段６７が乱数４を記憶する。このとき、例えば、情報送信装置１１ｂ用のユーザ領域に乱数４と装置識別情報２を関連付けて記憶する。そして、乱数を情報送信装置に送信するステップＳ２０５へ移行する。
【０１１５】
ここで、サーバ乱数記憶手段６７は、乱数４及び装置識別情報２を記憶している時間を所定時間内とし、所定時間を過ぎると消去することが好ましい。所定時間内しか乱数４を記憶しないことで、乱数４の重複を防ぎ、装置乱数表示手段２６に表示された乱数４を見た人以外の人が送信した不正な記号列によって端末装置１２ｂ以外の端末装置が登録されるのを防ぐことができる。
【０１１６】
乱数を情報送信装置に送信するステップＳ２０５では、サーバ乱数送信手段７１が、サーバ乱数生成手段６５の生成させる乱数４を装置乱数受信手段２４へ送信する。そして、記号列の受信待ちステップＳ２０６へ移行する。
【０１１７】
記号列の受信待ちステップＳ２０６では、サーバ端末情報受信手段６４が端末記号送信手段１６の送信した記号列６を受信すると、乱数と記号列の比較ステップＳ２０７へ移行する。一方、サーバ端末情報受信手段６４が乱数保存ステップＳ２０４の経過後所定時間内に記号列６を受信しなければ、装置識別情報及び乱数の削除ステップＳ２１０へ移行する。
【０１１８】
ここで、乱数を情報送信装置へ送信するステップＳ２０５と、記号列の受信待ちステップＳ２０６との間に、装置乱数表示手段２６が乱数４を表示する。端末装置１２ｂの所有者は、装置乱数表示手段２６に表示された乱数４を見て、その乱数４を端末記号取得手段１５に一定時間内に入力する。端末記号取得手段１５は入力された乱数４を記号列６として取得する。端末記号送信手段１６は、端末記号取得手段１５の取得した記号列６を端末識別情報３と共に情報記憶サーバ１３ｂへ送信する。
【０１１９】
異常終了ステップＳ２１１では、例えば、情報記憶システムを終了する。
【０１２０】
乱数と記号列の比較ステップＳ２０７では、記号列の受信待ちステップＳ２０６においてサーバ端末情報受信手段６４の受信した記号列６と、乱数保存ステップＳ２０４においてサーバ乱数記憶手段６７が記憶した乱数４と、を比較する。そして、それらが一致すればサーバ乱数一致と判定し、登録完了ステップＳ２０８へ移行する。一方、記号列６と乱数４とが一致しない場合、装置識別情報２及び乱数４の削除ステップＳ１１０へ移行する。
【０１２１】
登録完了ステップＳ２０８では、例えば、サーバ端末情報記憶手段７３が装置識別情報２と端末識別情報３とを関連付けて記憶する。これにより、情報記憶サーバ１３ｂは、情報送信装置１１ｂの収集した情報のアクセス許可先として端末装置１２ｂを登録する。ここで、サーバ端末情報記憶手段７３は、端末識別情報３と関連付けたアカウントに装置識別情報２を関連付けて記憶してもよい。
【０１２２】
情報記憶サーバ１３ｂに備わるサーバ端末情報受信手段６４は、端末記号送信手段１６の送信した記号列６を受信する。そして、サーバ乱数判定手段６９は、サーバ乱数記憶手段６７を参照して乱数４と記号列６とを照合する。照合できればサーバ乱数一致と判定する。そして、サーバ乱数一致と判定したとき、装置識別情報２と端末識別情報３とを関連付けて記憶し、情報送信装置１１ｂの収集した情報のアクセス許可先として端末装置１２ｂを登録する。ここで、サーバ端末情報記憶手段７３は、端末識別情報３と関連付けたアカウントに装置識別情報２を関連付けて記憶してもよい。
【０１２３】
このとき、サーバ乱数記憶手段６７は、乱数４及び装置識別情報２を記憶している時間を所定時間内とし、所定時間を過ぎると消去することが好ましい。所定時間内しか乱数４を記憶しないことで、乱数４の重複を防ぎ、装置乱数表示手段２６で表示された乱数４を見た人以外の人が送信した不正な記号列によって端末装置１２ｂ以外の端末装置が登録されるのを防ぐことができる。
【０１２４】
情報送信装置１１ｂが表示した乱数４を用いて情報送信装置１１ｂの所有者と端末装置１２ｂの所有者との一致を判定し、一致した端末装置１２ｂを情報送信装置１１ｂと関連付けて記憶するので、情報送信装置１１ｂが手元にない第三者の端末装置が情報送信装置１１ｂと関連付けて記憶されることを防ぐことができる。これにより、情報送信装置１１ｂが手元にない第三者の情報送信装置１１ｂの収集情報７の取得を防止することができる。更に、情報記憶サーバ１３ｂが乱数４を発生させるので、情報送信装置１１ｂが複数である場合にそれぞれ異なる乱数４を発生させることができる。又、情報送信装置１１ｂは、乱数４を発生させる手段が必要ないので、情報送信装置１１ｂの構成を簡易にすることができる。
【０１２５】
（実施形態４）
本実施形態に係る情報記憶システムについて図２を用いて説明する。本実施形態に係る情報記憶システムは、実施形態２で説明したサーバ乱数生成手段６５に代えてサーバ暗号化手段６５が備わり、乱数４に代えて暗号化識別情報を生成させることを特徴とする。以下、本実施形態に係る情報記憶システムについて、実施形態２との異なる点について説明する。
【０１２６】
情報送信装置１１ｂは、実施形態２で説明した装置乱数受信手段２４に代えて装置暗号受信手段２４が備わり、実施形態２で説明した装置乱数表示手段２６に代えて装置暗号表示手段２６が備わる。すなわち、本実施形態係る情報送信装置１１ｂは、装置識別情報送信手段２３と、装置暗号受信手段２４と、装置暗号表示手段２６と、を備える。情報送信装置１１ｂは、乱数４を暗号化識別情報として、実施形態３で説明した情報送信装置１１ｂと同様のものを用いることができる。
【０１２７】
情報記憶サーバ１３ｂは、実施形態２で説明したサーバ乱数生成手段６５と、サーバ乱数記憶手段６７と、サーバ乱数送信手段７１と、サーバ乱数判定手段６９と、サーバ端末情報記憶手段７３と、に代えて、サーバ暗号化手段６５と、サーバ暗号記憶手段６７と、サーバ暗号送信手段７１と、サーバ暗号判定手段６９と、サーバ端末情報記憶手段７３と、を備える。情報記憶サーバ１３ｂは、乱数４を暗号化識別情報として、実施形態３で説明した情報記憶サーバ１３ｂと同様のものを用いることができる。
【０１２８】
サーバ暗号生成手段６５は、サーバ装置情報受信手段６２の装置識別情報２の受信を契機に暗号化識別情報を生成させる。そして、例えば、生成させた暗号化識別情報をサーバ暗号記憶手段６７へ出力する。なお、暗号化識別情報の発生は、実施形態２で説明した装置暗号生成手段２１と同様のものを用いることができる。
【０１２９】
なお、情報記憶サーバ１３ｂは、さらに、サーバ暗号判定手段６９のサーバ暗号一致の判定を契機に、サーバ暗号判定手段６９の判定した暗号化識別情報を復号するサーバ復号手段を備えていてもよい。この場合、サーバ暗号記憶手段６７は、サーバ暗号化手段６５の生成させる暗号化識別情報と暗号鍵を記憶する。一定時間内に使用される暗号鍵を複数の装置識別情報に対して共通化すれば、サーバ暗号記憶手段を参照することなく暗号化識別情報を基に装置識別情報へ復号することができる。又、サーバ端末情報記憶手段７３は、サーバ復号手段の復号した装置識別情報を、サーバ暗号判定手段６９の判定する記号列と共にサーバ端末情報受信手段６４が受信した端末識別情報に関連付けて記憶する。
【０１３０】
なお、本実施形態において、上記に記載していない構成については、乱数４を暗号化識別情報として、実施形態３で説明した情報記憶システムと同様の構成とすることができる。情報送信装置１１ｂが表示した暗号化識別情報を用いて情報送信装置１１ｂの所有者と端末装置１２ｂの所有者との一致を判定し、一致した端末装置１２ｂを情報送信装置１１ｂと関連付けて記憶するので、情報送信装置１１ｂが手元にない第三者の端末装置が情報送信装置１１ｂと関連付けて記憶されることを防ぐことができる。これにより、情報送信装置１１ｂが手元にない第三者の情報送信装置１１ｂの収集情報７の取得を防止することができる。更に、情報記憶サーバ１３ｂが暗号化識別情報を発生させるので、情報送信装置１１ｂが複数である場合にそれぞれ異なる暗号化識別情報を発生させることができる。又、情報送信装置１１ｂは、暗号化識別情報を発生させる手段が必要ないので、情報送信装置１１ｂの構成を簡易にすることができる。更に、装置識別情報２を暗号化した記号列６を鍵とするので、装置識別情報２ごとに固有の情報を残すことで、情報記憶サーバ１３ｂは、暗号化識別情報を装置識別情報２ごとに識別することができる。
【産業上の利用可能性】
【０１３１】
本発明は、簡単に第三者への勝手な割り当てを防止することができるので、近距離の無線ＬＡＮ用のコンテンツ配信の際の登録にも利用することができる。
【図面の簡単な説明】
【０１３２】
【図１】実施形態１に係る情報記憶システムの構成図である。
【図２】実施形態２に係る情報記憶システムの構成図である。
【図３】実施形態１に係る情報記憶サーバの動作の一例を示すフロー図である。
【図４】実施形態２に係る情報記憶サーバの動作の一例を示すフロー図である。
【符号の説明】
【０１３３】
１  外部から情報送信装置への信号
２  装置識別情報
３  端末識別情報
４  乱数
６  記号列
７  情報送信装置の収集する収集情報
１１ａ、１１ｂ  情報送信装置
１２ａ、１２ｂ  端末装置
１３ａ、１３ｂ  情報記憶サーバ
１５  端末記号取得手段
１６  端末記号送信手段
１７ａ、１７ｂ  情報送信装置の送受信手段
１８ａ、１８ｂ  情報記憶サーバの送受信手段
１９ａ、１９ｂ  情報記憶サーバの記憶手段
２０  装置情報収集手段
２１  装置乱数生成手段
２２、２３  装置識別情報送信手段
２４  装置乱数受信手段
２５、２６  装置乱数表示手段
２７、２８  装置乱数記憶手段
２９、３２  装置乱数判定手段
３０、３１  装置収集情報送信手段
６１、６２  サーバ装置情報受信手段
６３、６４  サーバ端末情報受信手段
６５  サーバ乱数生成手段
６６、６７  サーバ乱数記憶手段
６８、６９  サーバ乱数判定手段
７０、７１  サーバ乱数送信手段
７２、７３  サーバ端末情報記憶手段
７４、７５  サーバ収集情報記憶手段
７６、７７  サーバ収集情報送信手段
７８、７９  サーバ収集情報受信手段
１００  通信網
【図１】
0004633668.tif 000002
【図２】
0004633668.tif 000003
【図３】
0004633668.tif 000004
【図４】
0004633668.tif 000005